(57)【要約】【課題】洗浄指示手段からの洗浄開始信号を受信した場合に、暖房装置が作動状態であれば、暖房装置を停止する制御回路を設けている衛生洗浄装置において、使用者の好みにより瞬間式洗浄水加熱手段を停止する設定にされていても、洗浄中は暖房装置を停止するのでトイレ室内の温度が低下してしまうと言う問題点があった。【解決手段】使用時に暖房装置が作動する状態にあり、瞬間式洗浄水加熱装置を作動させる状態であれば暖房装置は停止させ、瞬間式洗浄水加熱装置を停止させる状態であれば暖房装置は作動させるように制御を行うことにより、瞬間式洗浄水加熱装置を停止する設定にされていた場合でも、暖房装置を作動させトイレ室内の温度が低下する事のない衛生洗浄装置を提供する。【選択図】  図１
2004360284.tif 000002
【特許請求の範囲】
【請求項１】
給水源に連通する瞬間式洗浄水加熱手段と、洗浄水を噴出する噴出部と、前記噴出部における洗浄開始および停止の信号を出力する洗浄指示手段と、トイレ室内の暖房を行うための室内加熱手段を備えた暖房装置と、前記暖房装置の作動開始および停止の信号を出力する暖房指示手段と、前記瞬間式洗浄水加熱手段と前記室内加熱手段への通電を制御する制御手段とを有する衛生洗浄装置において、前記暖房指示手段からの作動開始信号を受け前記暖房装置が作動モードであり、かつ、前記室内加熱手段へ通電中に前記瞬間式洗浄水加熱手段を作動させる場合に前記制御手段は、前記室内加熱手段への通電をを停止するとともに、前記瞬間式洗浄水加熱手段へ通電することを特徴とする衛生洗浄装置。
【請求項２】
給水源に連通する瞬間式洗浄水加熱手段と、洗浄水を噴出する噴出部と、前記噴出部における洗浄開始および停止の信号を出力する洗浄指示手段と、トイレ室内の暖房を行うための室内加熱手段を備えた暖房装置と、前記暖房装置の作動および停止の信号を出力する暖房指示手段と、前記瞬間式洗浄水加熱手段と前記室内加熱手段への通電を制御する制御手段とを有する衛生洗浄装置において、前記暖房指示手段からの作動開始信号を受け前記暖房装置が作動モードであり、かつ、前記室内加熱手段へ通電中に前記瞬間式洗浄水加熱手段を作動させる場合に前記制御手段は、前記室内加熱手段の使用電力を予め設定された値まで低下させて通電するとともに、前記瞬間式洗浄水加熱手段へ通電することを特徴とする衛生洗浄装置。
【請求項３】
前記制御部は、前記瞬間式洗浄水加熱手段への通電を停止させる時は、前記瞬間式洗浄水加熱手段への通電を停止するとともに、前記室内加熱手段への通電を再開させることを特徴とする請求項１記載の衛生洗浄装置。
【請求項４】
前記制御部は、前記瞬間式洗浄水加熱手段を停止させる時、前記瞬間式洗浄水加熱手段への通電を停止するとともに、前記室内加熱手段の使用電力を上昇させて通電を再開させることを特徴とする請求項２記載の衛生洗浄装置。
【請求項５】
給水源に連通する瞬間式洗浄水加熱手段と、洗浄水を噴出する噴出部と、前記噴出部における洗浄開始および停止の信号を出す洗浄指示手段と、トイレ室内の暖房を行うための室内加熱手段を備えた暖房装置と、、前記暖房装置の作動および停止の信号を出す暖房指示手段と、前記瞬間式洗浄水加熱手段および前記室内加熱手段の使用電力を検知する使用電力検知手段と、を有する衛生洗浄装置において、前記暖房指示手段からの作動開始信号を受け前記暖房装置が作動モードであり、かつ、前記室内加熱手段へ通電中に前記瞬間式洗浄水加熱手段を作動する場合、前記制御手段は、前記使用電力検知手段で検知される前記室内加熱手段の使用電力と前記瞬間式洗浄水加熱手段の使用電力との和が所定の値以下で、かつ、前記瞬間式洗浄水加熱手段の使用電力を優先して、前記室内加熱手段と前記洗浄水加熱手段とへ通電することを特徴とする衛生洗浄装置。
【発明の詳細な説明】
【０００１】
【発明の属する技術分野】
本発明は、トイレ室内の暖房装置と使用電力の大きい瞬間式洗浄水加熱手段をもつ衛生洗浄装置に関する。
【０００２】
【従来の技術】
従来この種の衛生洗浄装置には図５に示すようなものがあった（例えば、特許文献１参照）。図５は、この従来の衛生洗浄装置の上方から見た一部切欠平面図であるが、可倒式の便座１の後方に衛生洗浄装置の本体１ａがあり、この本体内１ａには洗浄水調節弁２、瞬間式の加温装置２ａが設けられている。洗浄水は洗浄水供給路３を経て、洗浄水調節弁２で流量を調節され、加温装置２ａで洗浄水は使用者の選択した温度に加熱され、噴出部３ａから噴出される。加温装置２ａへはコンセント４から電源コード４ａを経て給電される。
使用者が便座１に着座し用便後洗浄を指定すると洗浄水調節弁が開成され、指定された流量の洗浄水が、加温装置２ａで指定された温度に調節され人体局部に噴出部３ａから噴出される。
【０００３】
また次のようにしているものもある（例えば、特許文献２参照）。上記したような洗浄中に使用者の好みによって洗浄水温度を変化することができる瞬間式の加温装置を有した衛生洗浄装置においては、加温装置の使用電力が大きく、電圧上昇時に家庭用コンセントの許容値（１５００Ｗ）を上回らないようにするには定格１２００Ｗ程度が限度であり、前記衛生洗浄装置とトイレ室内暖房（使用電力約５００ｗ）を合わせて設けることはできないため、洗浄指示手段からの洗浄開始信号を受信した場合に前記暖房装置が作動状態であれば、前記暖房装置を停止し、瞬間式洗浄水加熱手段を作動するように切換える制御回路を設けている。
【０００４】
【特許文献１】
特開昭５７−２４５号公報（第１〜５頁、第１図）
【０００５】
【特許文献２】
特許３３６６０３９号公報
【０００６】
【発明が解決しようとする課題】
しかし、上記したような洗浄指示手段からの洗浄開始信号を受信した場合に、暖房装置が作動状態であれば、暖房装置を停止する制御回路を設けている衛生洗浄装置において、暖房装置によりトイレ室内を暖かくし、瞬間式洗浄水加熱手段は停止して洗浄を行う使用者がいるが、このような使用者の好みにより瞬間式洗浄水加熱手段を停止する設定にされていても、洗浄中は暖房装置を停止するため、トイレ室内の温度が低下してしまうと言う問題点があった。本発明は上記課題を解決するためになされたもので、本発明の目的は、瞬間式洗浄水加熱手段を停止する設定にされていた場合でも、暖房装置を作動させトイレ室内の温度が低下する事のない衛生洗浄装置を提供することにある。
【０００７】
【課題を解決するための手段】
上記目的を達成するため本発明の請求項１に記載の衛生洗浄装置は、給水源に連通する瞬間式洗浄水加熱手段と、洗浄水を噴出する噴出部と、前記噴出部における洗浄開始および停止の信号を出力する洗浄指示手段と、トイレ室内の暖房を行うための室内加熱手段を備えた暖房装置と、前記暖房装置の作動開始および停止の信号を出力する暖房指示手段と、前記瞬間式洗浄水加熱手段と前記室内加熱手段への通電を制御する制御手段とを有する衛生洗浄装置において、前記暖房指示手段からの作動開始信号を受け前記暖房装置が作動モードであり、かつ、前記室内加熱手段へ通電中に前記瞬間式洗浄水加熱手段を作動させる場合に前記制御手段は、前記室内加熱手段への通電をを停止するとともに、前記瞬間式洗浄水加熱手段へ通電することを特徴とするものである。
【０００８】
また本発明の請求項２に記載の衛生洗浄装置は、給水源に連通する瞬間式洗浄水加熱手段と、洗浄水を噴出する噴出部と、前記噴出部における洗浄開始および停止の信号を出力する洗浄指示手段と、トイレ室内の暖房を行うための室内加熱手段を備えた暖房装置と、前記暖房装置の作動および停止の信号を出力する暖房指示手段と、前記瞬間式洗浄水加熱手段と前記室内加熱手段への通電を制御する制御手段とを有する衛生洗浄装置において、前記暖房指示手段からの作動開始信号を受け前記暖房装置が作動モードであり、かつ、前記室内加熱手段へ通電中に前記瞬間式洗浄水加熱手段を作動させる場合に前記制御手段は、前記室内加熱手段の使用電力を予め設定された値まで低下させて通電するとともに、前記瞬間式洗浄水加熱手段へ通電することを特徴とするものである。
【０００９】
また本発明の請求項３に記載の衛生洗浄装置は、請求項１に記載の発明において、前記瞬間式洗浄水加熱手段への通電を停止させる時は、前記瞬間式洗浄水加熱手段への通電を停止するとともに、前記室内加熱手段への通電を再開させることを特徴とするものである。
【００１０】
また本発明の請求項４に記載の衛生洗浄装置は、請求項２に記載の発明において、前記制御部は、前記瞬間式洗浄水加熱手段を停止させる時、前記瞬間式洗浄水加熱手段への通電を停止するとともに、前記室内加熱手段の使用電力を上昇させて通電を再開させることを特徴とするものである。
【００１１】
さらに本発明の請求項５に記載の衛生洗浄装置は、給水源に連通する瞬間式洗浄水加熱手段と、洗浄水を噴出する噴出部と、前記噴出部における洗浄開始および停止の信号を出す洗浄指示手段と、トイレ室内の暖房を行うための室内加熱手段を備えた暖房装置と、、前記暖房装置の作動および停止の信号を出す暖房指示手段と、前記瞬間式洗浄水加熱手段および前記室内加熱手段の使用電力を検知する使用電力検知手段と、を有する衛生洗浄装置において、前記暖房指示手段からの作動開始信号を受け前記暖房装置が作動モードであり、かつ、前記室内加熱手段へ通電中に前記瞬間式洗浄水加熱手段を作動する場合、前記制御手段は、前記使用電力検知手段で検知される前記室内加熱手段の使用電力と前記瞬間式洗浄水加熱手段の使用電力との和が所定の値以下で、かつ、前記瞬間式洗浄水加熱手段の使用電力を優先して、前記室内加熱手段と前記洗浄水加熱手段とへ通電することを特徴とするものである。
【００１２】
【作用】
上記構成により本発明の請求項１に記載の衛生洗浄装置は、暖房指示手段からの信号を受け暖房装置が作動している時に前記瞬間式洗浄水加熱手段を作動する場合、室内加熱手段（ヒータ）を停止して、瞬間式洗浄水加熱手段の通電を行うため、暖房装置の電力と洗浄水加熱手段の電力とが同時に消費されることがなくなり、家庭用のコンセントの許容電力内で暖房と洗浄の双方が行える。
さらに、瞬間式洗浄水加熱手段が動作するときには、自動的に暖房装置が停止しているため、手動で使用時に暖房装置を切るといった使い勝手の悪さを改善することができる。この時、使用者の洗浄水温度の好みにより洗浄時に前記瞬間式洗浄水加熱手段への通電が停止するよう設定されていた場合でも、暖房装置を停止させないためトイレ室内の温度を不必要に低下させる事なく、洗浄を行う事ができる。
【００１３】
また本発明の請求項３に記載の衛生洗浄装置は、室内加熱手段への通電を一時停止中に前記瞬間式洗浄水加熱手段への通電を終了させる場合、瞬間式洗浄水加熱手段への通電を停止するだけでなく、室内加熱手段への通電を再開するため、家庭用のコンセントの許容電力内で暖房と洗浄の双方が行え、トイレ室内の温度低下を、より防ぐ事が出来る。
【００１４】
また、一般に暖房装置は、一定温度を保持するため、その室内加熱手段は暖房指示手段からの作動開始信号を受けて作動モードにあるときでも、通電をＯＮ、ＯＦＦさせている。したがって、洗浄水使用時に、暖房装置そのものは動作状態であっても、たまたまＯＦＦ期間で瞬間式洗浄加熱手段が動作した後瞬間式洗浄加熱手段への通電を停止させた後も暖房装置がＯＦＦ状態のままになるといった不都合が生ずるのを防ぐことが出来る。
【００１５】
さらに本発明の請求項２に記載の衛生洗浄装置は、暖房指示手段からの信号を受け暖房装置が作動している時に前記瞬間式洗浄水加熱手段を作動する場合、まず暖房装置の使用電力を所定の値に低下させて、瞬間式洗浄水加熱手段への通電を行うため、洗浄中にも室内の暖房が行えるとともに室内加熱手段への電力と瞬間式洗浄水加熱手段への電力が同時に消費されても家庭用のコンセントの許容電力内で使用可能である。また洗浄中においても低出力ではあるが暖房装置が使用可能なため暖房機能の向上が図れる。
【００１６】
加えて請求項５に記載の本発明の衛生洗浄装置は、室内加熱手段へ通電中に前記瞬間式洗浄水加熱手段を作動する場合、使用電力検知手段で検知される室内加熱手段の使用電力と洗浄水加熱手段の使用電力との和が所定の値以下となるように制御しているため、洗浄中に暖房が行えるとともに室内加熱手段の電力と瞬間式洗浄水加熱手段の電力が同時に消費されても暖房装置の暖房能力を家庭用のコンセントの許容電力内で最大限に使用することができる。
【００１７】
【発明の実施の形態】
以下本発明の実施例を図面に基づいて説明する。
図１は本発明の第一の実施例を示す衛生洗浄装置の系統図である。同図において、５は洗浄水供給路６に設けた止水弁、７は止水弁５の下流側に設けられた洗浄水圧調節弁であり、８はセラミックヒ−タ９と管体１０からなる洗浄水加熱手段であり、洗浄水を貯湯する事なく加熱するように構成されている。洗浄水加熱手段８の下流側には洗浄水の温度を検出する温度センサ１１と流量調節部１２を設け、使用者の設定した洗浄水温度および洗浄水流量の確認を行う。流量調節部１２の下流側に流路切換弁１３があり、流路切換弁１３によって制御された洗浄水は噴出部１４内の所定の流路を通り噴出される。上記で述べた水回路は本発明で言うところの制御手段としての制御回路１７によって駆動される。
【００１８】
制御回路１７内に洗浄水加熱手段８の使用電力を検知する使用電力検知手段として設けた使用電力検知部１８があり、洗浄水加熱手段８における使用電力量の上昇を検知し、制御回路１７によって洗浄水加熱手段８への通電を制限することができる。
トイレ室内暖房装置１９は本発明で言うところの室内加熱手段である電気ヒ−タ２０と、モータで駆動されるファンユニット２１とを備え、さらに室温センサ２２を備えており、制御回路１７によって通電を制御され作動している。
２３は洗浄指示手段である洗浄指示部、２４は暖房指示手段である暖房指示部であり、それぞれ使用者の選択した洗浄条件および暖房条件の信号を制御回路１７に出力する。制御回路１７は洗浄指示部２３からの信号に応じて洗浄開始、洗浄条件（洗浄水温度、洗浄水流量）の変化、洗浄停止の信号を出力し、暖房指示部２４と室温センサ２２とからの信号に応じて暖房装置の駆動、温度調節、停止を行う。
【００１９】
なお洗浄状態が使用者の選択により停止されたときには、制御回路１７は洗浄加熱手段への電力停止信号を出力した後、暖房装置１９を洗浄開始以前の使用電力に回復する。
上記構成における動作、作用を説明する。使用者が用便後洗浄開始を洗浄指示部２３で選択すると、洗浄指示部２３は洗浄開始信号を制御回路１７に出力し、制御回路１７は洗浄開始信号を出力する。その後止水弁５を開成するとともに指定された洗浄水の温度および流量に応じて洗浄水圧調節弁７、洗浄水加熱手段８を作動し、流路切換弁を指定された流路に切換え、洗浄水を人体局部へと噴出する。洗浄中、制御回路１７は温度センサ１１と流量調節部１２それぞれから検知した洗浄水温度および洗浄水流量を使用者の選択した洗浄条件と比較し、違いが見られた場合に洗浄水加熱手段８の使用電力や洗浄水圧調節弁３に補正信号を送信し、補正を行っている。
【００２０】
一方、使用者が暖房指示部２４のスイッチ操作あるいはタイマー設定によって暖房開始および暖房温度の調節を行うと、即時あるいはタイムアップ後、暖房開始および暖房調節信号が制御回路１７に送信される。暖房開始および暖房調節信号を受信した制御回路１７は、室温センサ２２によって検知された室温を受け、必要な電力を電気ヒータ２０およびファンユニット２１に出力する。暖房中、制御回路１７は室温センサ２２から検知した室温を使用者が選択した暖房条件と比較し、暖房装置１９の使用電力を制御している。
【００２１】
図２は、この第一の実施例における洗浄水加熱手段８と暖房装置１９の動作説明図であり、制御回路１７が上記動作において説明した洗浄水加熱手段８と暖房装置１９が同時に作動させないことを示したものである。例えば、使用者が洗浄指示手段２３によって洗浄開始を選択すると、洗浄開始信号が制御回路１７に出力される。洗浄開始信号を入力された制御回路１７は、暖房装置１９が作動中か否かを確認する。暖房装置１９が停止している場合、制御回路１７は暖房装置への処理を行わず洗浄開始信号を出力し、洗浄水加熱手段８が作動し洗浄が開始される。
【００２２】
暖房装置１９が作動状態にある場合、制御回路１７で暖房装置１９が停止された後に洗浄開始信号を出力し、洗浄水加熱手段８が作動し洗浄が開始されるため、使用電力の大きい瞬間式の洗浄水加熱手段８と暖房装置１９が同時に作動しない。ここで使用者によって、洗浄指示部２３により洗浄水加熱手段８を停止するよう設定された時、暖房装置１９が作動状態にあれば、洗浄水加熱手段８は作動せず暖房装置１９は作動する。その後、洗浄指示部２３より温度調節され、洗浄水加熱手段８が作動する状態になった時は、制御回路１７で暖房装置１９が停止された後に洗浄水加熱手段８が作動する。
また制御回路１７は、洗浄中に暖房指示部２４からの暖房停止あるいは暖房条件の変化信号を受信がない場合には、洗浄停止後、暖房装置１９の使用電力を洗浄開始以前の状態に自動復帰する。
【００２３】
以上のようにこの第一の実施例の衛生洗浄装置は、使用電力の大きい洗浄水加熱手段８と、トイレの室内暖房装置１９を同時に作動させない制御回路１７を設けたので、使用者は洗浄中に洗浄水の温度を変化させることが可能であり、かつトイレ室内の工事や新たな場所を占有する事なくトイレ室内の暖房を利用できる。また洗浄後に暖房装置１９を洗浄以前の状態に自動的に復帰するので、使用者は再度暖房指示部２４から暖房開始あるいは暖房条件の変化を入力する必要がない。
【００２４】
さらに暖房装置１９によりトイレ室内が暖められている時に、洗浄水加熱手段８を停止させて洗浄を行う使用者においては、洗浄時に暖房装置１９を停止させないためトイレ室内の温度が低下する事無く、洗浄を行う事が出来る。
【００２５】
本発明における第二の実施例を説明する。本実施例における衛生洗浄装置は、図１と同様の系統図ではあるが制御回路１７の構成が異なり、洗浄水加熱手段８が電力を消費しているときでも暖房装置１９を所定の電力以下で使用可能となった。
【００２６】
図３はこの第二の実施例における洗浄水加熱手段８と暖房装置１９の使用電力の相関図であり、図３に基づき動作、作用について説明する。使用者が洗浄指示手段２３によって洗浄開始および洗浄条件を選択すると、それに応じた信号が制御回路１７に出力される。ここで、洗浄水加熱手段８が作動する条件かつ暖房装置１９が作動状態にあるとき、制御回路１７はまず所定の値以下へ暖房装置１９の使用電力を低下させる。その後洗浄水加熱手段８に洗浄条件に見合う電力を供給し、洗浄を開始する。使用者によっては暖房装置１９によりトイレ室内が暖められている時に、洗浄水加熱手段８を停止させて洗浄を行う。
【００２７】
このように洗浄中に洗浄指示部２３により洗浄水加熱手段８を停止するよう設定された場合、または洗浄中に暖房指示手段２４からの信号が無く洗浄を終了する場合、制御回路１７は洗浄水加熱手段８を停止させた後、暖房装置１９の使用電力を洗浄開始以前の状態に回復させる。洗浄中に暖房指示手段２４からの信号があった場合、制御回路１７は洗浄水加熱手段８を停止させた後、暖房装置１９の使用電力を変更された状態に回復させる。
【００２８】
以上のようにこの第二の実施例の衛生洗浄装置は、トイレの室内暖房装置１９の使用電力を低出力にした後、使用電力の大きい洗浄水加熱手段８を作動させる制御回路１７を設けたので、使用者は洗浄中に洗浄水の温度を変化させることが可能であり、かつトイレ室内の工事や新たな場所を占有する事なくトイレ室内の暖房を利用できる。洗浄中に低出力ではあるが暖房装置１９が使用可能なため暖房機能の向上が図れ、また人体局部の暖房にも利用できる。さらに洗浄時、もしくは洗浄中に洗浄水加熱手段８を停止させた場合、暖房装置１９の使用電力を洗浄開始以前の状態に回復させるため、トイレ室内の温度を低下させる事なく洗浄する事ができる。
【００２９】
本発明における第三の実施例を説明する。本実施例における衛生洗浄装置は、図１と同様の系統図ではあるが制御回路１７の構成が異なっており、使用電力検知部１８で検知される暖房装置１９の使用電力と洗浄水加熱手段８の使用電力の和が所定の値以下となるように制御される。
【００３０】
図４はこの第三の実施例における洗浄水加熱手段８と暖房装置１９の使用電力の相関図であり、図４に基づき動作、作用について説明する。使用者が洗浄指示手段２３によって洗浄開始および洗浄条件を選択すると、それに応じた信号が制御回路１７に出力される。洗浄開始および洗浄条件の信号を入力した制御回路１７は、暖房装置１９が作動状態であるか停止状態であるかを確認し、停止状態であれば他の処理をせず洗浄開始および洗浄条件の信号を出力する。暖房装置１９が作動状態にあるとき、制御回路１７は使用電力検知部１８で検知される使用電力量が所定の値となるように、洗浄水加熱手段８の使用電力を徐々に上げ暖房装置１９の電力を下げ双方の使用電力量の和を一定に保つ。
【００３１】
また洗浄状態にあるとき、温度センサ１１および洗浄水流量調節部１２から洗浄水条件の変化が検知された場合には、制御回路１７は洗浄条件を使用者が設定した値になるように洗浄水加熱手段８の使用電力を変化させるが、洗浄水加熱手段８と暖房装置１９の使用電力の和が所定の値となるように暖房装置１９の使用電力を変化させた後に洗浄条件の信号を出力し、洗浄水加熱手段８の使用電力の調節を行う。
【００３２】
洗浄状態において使用者が暖房の開始、条件を新たに選択した場合でも、暖房指示手段２４からの暖房開始信号が制御回路１７に入力されるが、洗浄水加熱手段８の使用電力を優先し、選択された暖房装置１９の使用電力は余力のある範囲内で調節される。なお、使用電力の和として定められた所定の値は、電圧変動状態によって家庭用のコンセントの使用可能値以下で変更することも可能である。
【００３３】
上記のようにこの第三の実施例は、洗浄水温度を瞬時に変化することのできる洗浄加熱手段８と、トイレ室内の暖房装置１９と、洗浄水加熱手段８における使用電力に応じてトイレ室内の暖房装置１９における使用電力を変化することができる制御装置１７を設けたものであるので、使用者が洗浄水の温度を洗浄時においても自由に変化すること、または洗浄水加熱手段８の動作を停止させて洗浄を行う事も可能なトイレ室内の暖房装置１９を有する衛生洗浄装置を提供することができる。
【００３４】
また洗浄状態にある場合も暖房装置の作動が可能なため暖房能力の向上を図れ、かつ使用電力検知部１８で検知される電力を所定の値以下に保つように制御するため、使用者の好みで洗浄水加熱手段８を停止させ洗浄を行う等により使用電力に余力があるときは余力のすべてを暖房装置１９に使用することができ、トイレ室内の温度を低下させることなく洗浄を行う事ができる。
【００３５】
以上述べた各実施例では電気ヒ−タへの通電を入／切させているが本発明ではファンユニットへの通電を電気ヒ−タと同時に行なうか否かは選択事項であり、余熱の問題でファンユニットの動作停止（通電停止）を遅らせても良い。
【００３６】
【発明の効果】
以上詳述したように本発明の衛生洗浄装置は、使用電力の大きい洗浄水加熱手段の作動状態により暖房装置の使用電力を調節する事で、トイレ室内の温度を不必要に低下させる事なく、洗浄を行う事が出来る。
【図面の簡単な説明】
【図１】本発明の第一の実施例を示す衛生洗浄装置の系統図
【図２】本発明の第一の実施例の洗浄水加熱手段と暖房装置の動作説明図
【図３】本発明の第二の実施例における洗浄水加熱手段と暖房装置の使用電力相関図
【図４】本発明の第三の実施例における洗浄水加熱手段と暖房装置の使用電力相関図
【図５】従来の衛生洗浄装置の構成図
【符号の説明】
１  便座  １ａ  衛生洗浄装置本体  ２  洗浄水調節弁  ２ａ  加温装置  ３  洗浄水供給路  ３ａ  噴出部  ４  コンセント  ４ａ  電源コード  ５  止水弁  ６  洗浄水供給路７  洗浄水圧調節弁  ８  洗浄水加熱手段  ９  セラミックヒータ  １０  管体
１１  温度センサ  １２  流量調節部  １３  流路切替弁  １４  噴出部  １７  制御回路    １８  使用電力検知部  １９  暖房装置  ２０  電気ヒータ  ２１  ファンユニット
２２  室温センサ  ２３洗浄指示部（洗浄指示手段）  ２４  暖房指示部（暖房指示手段）
【図１】
2004360284.tif 000003
【図２】
2004360284.tif 000004
【図３】
2004360284.tif 000005
【図４】
2004360284.tif 000006
【図５】
2004360284.tif 000007